(57)【特許請求の範囲】
【請求項１】
情報を表示する表示手段と、
方位に関する情報を取得する方位取得手段と、
自装置の位置に関する情報を取得する位置取得手段と、
前記位置取得手段により取得された位置に基づき、表示対象とする対象物の情報を取得する表示対象情報取得手段と、
前記表示手段に表示する情報を制御する表示制御手段と、
を備え、
前記表示制御手段は、
前記表示手段に、前記方位取得手段によって取得された方位に関する情報に基づいて、電子コンパスの画像を表示し、前記電子コンパスの画像の周囲に、前記電子コンパスが示す方位に存在する前記対象物を示す情報を表示し、
表示対象とする前記対象物の種類に応じて、距離の閾値を設定し、
前記自装置から前記閾値よりも小さい距離範囲にある前記対象物を表示することを特徴とする電子機器。
【請求項２】
前記表示制御手段は、前記表示手段に、前記電子コンパスの画像の周囲において、ユーザが向いている方角に対応する領域に前記対象物を示す情報を表示することを特徴とする請求項１に記載の電子機器。
【請求項３】
前記表示制御手段は、前記表示手段に、前記電子コンパスの画像の全周囲において、前記電子コンパスが示す方位に存在する前記対象物を示す情報を表示することを特徴とする請求項２に記載の電子機器。
【請求項４】
前記表示制御手段は、当該電子機器の位置と前記対象物の位置との距離に基づいて、前記対象物を示す情報の表示形態を異なるものとすることを特徴とする請求項１から３のいずれか１項に記載の電子機器。
【請求項５】
前記表示制御手段は、表示対象とする前記対象物の表示形態において、当該電子機器の位置と前記対象物の位置との距離に関わらず複数の前記対象物を前記電子コンパスの画像から等距離に配置する第１表示形態モードと、当該電子機器の位置と前記対象物の位置との距離に応じて複数の前記対象物を前記電子コンパスの画像から異なる距離に配置する第２表示形態モードとのいずれかに設定することを特徴とする請求項１から４のいずれか１項に記載の電子機器。
【請求項６】
前記表示制御手段は、表示対象とする前記対象物の種類において、人物を表示対象とする第１表示対象モードと、建物を表示対象とする第２表示対象モードと、ユーザによって登録されたポイントを表示対象とする第３表示対象モードとの少なくともいずれか１つのモードに設定することを特徴とする請求項１から５のいずれか１項に記載の電子機器。
【請求項７】
前記表示制御手段は、前記電子コンパスの画像の周囲に、前記電子コンパスが示す方位に存在する前記対象物を示す情報を表示する情報表示モードと、前記対象物を示す情報を表示することなく前記電子コンパスの画像を表示する通常モードと、を切り換えることを特徴とする請求項１から６のいずれか１項に記載の電子機器。
【請求項８】
前記表示制御手段は、前記通常モードから前記情報表示モードに移行する場合、前記電子コンパスの画像を縮小して表示することを特徴とする請求項７に記載の電子機器。
【請求項９】
前記表示制御手段は、前記通常モードから前記情報表示モードに移行する場合、前記通常モードの場合と同サイズで前記電子コンパスの画像を表示することを特徴とする請求項７に記載の電子機器。
【請求項１０】
表示対象とする前記対象物を登録する情報登録手段を備え、
前記情報登録手段は、登録される前記対象物を示す情報をユーザの入力に応じて設定することを特徴とする請求項１から９のいずれか１項に記載の電子機器。
【請求項１１】
前記対象物に関する情報を取得する表示対象情報取得手段を備え、
前記表示対象情報取得手段は、近距離無線通信を介して当該対象物の位置情報を受信し、
前記表示制御手段は、前記表示対象情報取得手段によって取得された前記対象物の位置情報に基づいて、前記電子コンパスの画像の周囲に、前記対象物を示す情報を表示することを特徴とする請求項１から１０のいずれか１項に記載の電子機器。
【請求項１２】
前記対象物に関する情報を取得する表示対象情報取得手段を備え、
前記表示対象情報取得手段は、測位された位置情報に基づいて、当該位置情報周辺の予め記憶された前記対象物の位置情報を取得し、
前記表示制御手段は、前記表示対象情報取得手段によって取得された前記対象物の位置情報に基づいて、前記電子コンパスの画像の周囲に、前記対象物を示す情報を表示することを特徴とする請求項１から１０のいずれか１項に記載の電子機器。
【請求項１３】
情報を表示する表示手段と、
方位に関する情報を取得する方位取得手段と、
自装置の位置に関する情報を取得する位置取得手段と、
前記位置取得手段により取得された位置に基づき、表示対象とする対象物の情報を取得する表示対象情報取得手段と、
前記表示手段に表示する情報を制御する表示制御手段と、
を備える電子機器が実行する情報表示方法であって、
前記表示制御手段が、
前記表示手段に、前記方位取得手段によって取得された方位に関する情報に基づいて、電子コンパスの画像を表示し、前記電子コンパスの画像の周囲に、前記電子コンパスが示す方位に存在する前記対象物を示す情報を表示し、
表示対象とする前記対象物の種類に応じて、距離の閾値を設定し、
前記電子機器から前記閾値よりも小さい距離範囲にある前記対象物を表示する対象物表示ステップを含むことを特徴とする情報表示方法。
【請求項１４】
情報を表示する表示手段と、
方位に関する情報を取得する方位取得手段と、
自装置の位置に関する情報を取得する位置取得手段と、
前記位置取得手段により取得された位置に基づき、表示対象とする対象物の情報を取得する表示対象情報取得部手段と、
前記表示手段に表示する情報を制御する表示制御手段と、
を備える電子機器を制御するコンピュータに、
前記表示手段に、前記方位取得手段によって取得された方位に関する情報に基づいて、電子コンパスの画像を表示し、前記電子コンパスの画像の周囲に、前記電子コンパスが示す方位に存在する前記対象物を示す情報を表示し、
表示対象とする前記対象物の種類に応じて、距離の閾値を設定し、
前記電子機器から前記閾値よりも小さい距離範囲にある前記対象物を表示する対象物表示機能を実現させることを特徴とするプログラム。
【発明の詳細な説明】
【技術分野】
【０００１】
本発明は、電子機器、情報表示方法及びプログラムに関する。
【背景技術】
【０００２】
従来、スマートウォッチ等のウェアラブルな電子機器において、地図を表示する技術が知られている（特許文献１参照）。このような技術によれば、ユーザは自身の位置する場所に関する情報を把握することができる。
また、ウェアラブルな電子機器において、コンパス機能を備え、方位を表示する技術が知られている（特許文献２参照）。このような技術によれば、ユーザは方角の情報を把握することができる。
【先行技術文献】
【特許文献】
【０００３】
【特許文献１】特開２０１３−０１２０２４号公報
【特許文献１】特開２０１２−１１２８５９号公報
【発明の概要】
【発明が解決しようとする課題】
【０００４】
しかしながら、特許文献１に記載の技術のように、ウェアラブルな電子機器において地図を表示する場合、表示部が小型であることから、ユーザにとって視認し難いものとなる。一方、特許文献２に記載の技術のように、ウェアラブル機器においてコンパス（方位）を表示する場合、ユーザ自身の向いている方角や目的とする方角は把握できるものの、建物等の位置情報については把握することができない。
【０００５】
本発明は、このような状況に鑑みてなされたものであり、ユーザ自身の向いている方角や目的とする方角と共に、位置情報をより容易に把握可能とすることを目的とする。
【課題を解決するための手段】
【０００６】
上記目的を達成するため、本発明の一態様の電子機器は、
情報を表示する表示手段と、
方位に関する情報を取得する方位取得手段と、
自装置の位置に関する情報を取得する位置取得手段と、
前記位置取得手段により取得された位置に基づき、表示対象とする対象物の情報を取得する表示対象情報取得手段と、
前記表示手段に表示する情報を制御する表示制御手段と、
を備え、
前記表示制御手段は、
前記表示手段に、前記方位取得手段によって取得された方位に関する情報に基づいて、電子コンパスの画像を表示し、前記電子コンパスの画像の周囲に、前記電子コンパスが示す方位に存在する前記対象物を示す情報を表示し、
表示対象とする前記対象物の種類に応じて、距離の閾値を設定し、
前記自装置から前記閾値よりも小さい距離範囲にある前記対象物を表示することを特徴とする。
【発明の効果】
【０００７】
本発明によれば、ユーザ自身の向いている方角や目的とする方角と共に、位置情報をより容易に把握することが可能となる。
【図面の簡単な説明】
【０００８】
【図１】本発明の電子機器の一実施形態としてのリスト端末の構成を示す図であり、図１（Ａ）は外観構成図、図１（Ｂ）は、ハードウェア構成を示すブロック図である。
【図２】図１のリスト端末の機能的構成のうち、情報表示処理及び情報登録処理を実行するための機能的構成を示す機能ブロック図である。
【図３】通常モードの表示状態例を示す模式図である。
【図４】情報表示モードにおける第１表示形態モードの場合の表示状態例を示す模式図である。
【図５】情報表示モードにおける第２表示形態モードの場合の表示状態例を示す模式図である。
【図６】図２の機能的構成を有する図１のリスト端末が実行する情報表示処理の流れを説明するフローチャートである。
【図７】図２の機能的構成を有する図１のリスト端末が実行する情報登録処理の流れを説明するフローチャートである。
【発明を実施するための形態】
【０００９】
以下、本発明の実施形態について、図面を用いて説明する。
【００１０】
［ハードウェア構成］
図１は、本発明の電子機器の一実施形態としてのリスト端末１の構成を示す図であり、図１（Ａ）は外観構成図、図１（Ｂ）は、ハードウェア構成を示すブロック図である。
図１（Ａ）に示すように、リスト端末１は、腕時計型に構成され、スマートフォンに類する機能を備えた電子機器である。
また、図１（Ｂ）に示すように、リスト端末１は、制御部１１と、センサユニット１２と、入力部１３と、ＬＣＤ（Ｌｉｑｕｉｄ  Ｃｒｙｓｔａｌ  Ｄｉｓｐｌａｙ）１４と、時計回路１５と、ＲＯＭ（Ｒｅａｄ  Ｏｎｌｙ  Ｍｅｍｏｒｙ）１６と、ＲＡＭ（Ｒｅａｄ  Ａｃｃｅｓｓ  Ｍｅｍｏｒｙ）１７と、ＧＰＳアンテナ１８と、ＧＰＳモジュール１９と、無線通信用アンテナ２０と、無線通信モジュール２１と、ドライブ２２とを備えている。
【００１１】
制御部１１は、ＣＰＵ（Ｃｅｎｔｒａｌ  Ｐｒｏｃｅｓｓｉｎｇ  Ｕｎｉｔ）等の演算処理装置によって構成され、リスト端末１全体の動作を制御する。例えば、制御部１１は、情報表示処理及び情報登録処理（後述）のためのプログラム等、ＲＯＭ１６に記録されているプログラムに従って各種の処理を実行する。
センサユニット１２は、地磁気センサ、３軸加速度センサ、気圧センサあるいは気温センサ等の各種センサを備えている。
【００１２】
入力部１３は、各種釦やＬＣＤ１４の表示領域に積層される静電容量式または抵抗膜式の位置入力センサ等で構成され、ユーザの指示操作に応じて各種情報を入力する。
ＬＣＤ１４は、制御部１１の指示に従って画像を出力する。例えば、ＬＣＤ１４は、各種画像やユーザインターフェースの画面を表示する。本実施形態においては、ＬＣＤ１４に入力部１３の位置入力センサが重畳して配置され、タッチパネルが構成されている。
時計回路１５は、システムクロックあるいは発振器により生成される信号から時刻信号を生成し、現在時刻を出力する。
【００１３】
ＲＯＭ１６は、制御部１１で実行される制御プログラム等の情報を格納する。
ＲＡＭ１７は、制御部１１が各種処理を実行する際のワークエリアを提供する。
ＧＰＳアンテナ１８は、ＧＰＳにおける衛星から発信される電波を受信して電気信号に変換し、変換した電気信号（以下、「ＧＰＳ信号」と称する。）をＧＰＳモジュール１９に出力する。
ＧＰＳモジュール１９は、ＧＰＳアンテナ１８から入力されたＧＰＳ信号に基づいて、リスト端末１の位置（緯度、経度、高度）及びＧＰＳによって示される現在時刻を検出する。また、ＧＰＳモジュール１９は、検出した位置及び現在時刻を示す情報を制御部１１に出力する。
【００１４】
無線通信用アンテナ２０は、無線通信モジュール２１によって利用される無線通信に対応した周波数の電波を受信可能なアンテナであり、例えばループアンテナやロッドアンテナによって構成される。無線通信用アンテナ２０は、無線通信モジュール２１から入力された無線通信の電気信号を電磁波として送信したり、受信した電磁波を電気信号に変換して無線通信モジュール２１に出力したりする。
無線通信モジュール２１は、制御部１１の指示に従って、無線通信用アンテナ２０を介して他の装置に信号を送信する。また、無線通信モジュール２１は、他の装置から送信された信号を受信し、受信した信号が示す情報を制御部１１に出力する。本実施形態において、無線通信モジュール２１は、Ｂｌｕｅｔｏｏｔｈ  ｌｏｗ  ｅｎｅｒｇｙ／Ｂｌｕｅｔｏｏｔｈ  ＬＥ（商標）（以下、「ＢＬＥ」という。）の通信規格に基づく通信や、Ｗｉ−Ｆｉ（Ｗｉｒｅｌｅｓｓ  Ｆｉｄｅｌｉｔｙ）の通信規格に基づいた通信を行う。また、無線通信モジュール２１は、ＢＬＥのビーコンによって他のリスト端末１と通信を行うことができる。
ドライブ２２には、磁気ディスク、光ディスク、光磁気ディスク、あるいは半導体メモリ等よりなる、リムーバブルメディア３１が適宜装着される。リムーバブルメディア３１は、画像のデータ等の各種データを記憶することができる。
【００１５】
［機能的構成］
次に、リスト端末１の機能的構成のうち、情報表示処理及び情報登録処理を実行するための機能的構成について説明する。
図２は、図１のリスト端末１の機能的構成のうち、情報表示処理及び情報登録処理を実行するための機能的構成を示す機能ブロック図である。
情報表示処理とは、方位を示す情報として電子コンパスのみを表示する通常モードから各種対象物が存在する方角を表示する情報表示モードとされた場合に、方位を示す情報（電子コンパス）に対応付けて、各種対象物を示す情報（アイコン）をその対象物が位置する方角上に配置して表示する一連の処理である。
また、情報登録処理とは、情報表示処理において表示対象とする各種対象物をユーザが登録する一連の処理である。
【００１６】
情報表示処理及び情報登録処理が実行される場合には、図２に示すように、制御部１１において、位置取得部５１と、センサ情報取得部５２と、表示形態モード設定部５３と、表示対象モード設定部５４と、方位表示制御部５５と、表示対象情報取得部５６と、対象物表示制御部５７と、表示対象登録部５８とが機能する。また、ＲＯＭ１６の一領域には、地図情報記憶部７１と、表示対象記憶部７２とが設けられる。
【００１７】
地図情報記憶部７１は、地図情報が格納されたデータベースを記憶している。本実施形態において、情報表示処理を実行する際に、地図情報を使用する必要はなく、情報登録処理において表示対象とする地点の地名や建物名等を登録するために使用される。したがって、情報登録処理において、表示対象とする地点の位置情報（緯度及び経度等）のみを登録する場合、リスト端末１が地図情報を保持しない構成としてもよい。この場合、リスト端末１が位置情報を基に地図データベースにアクセスすることにより、表示対象とする地点に関する地図情報を取得すること等としてもよい。
表示対象記憶部７２は、情報登録処理において表示対象として登録された各種対象物に関する情報（位置情報、対象物のアイコン、その対象物に関するコメント等）を記憶している。なお、表示対象記憶部７２には、表示対象とする対象物に関する情報（建物等の情報）を予め記憶しておくことができる。
【００１８】
位置取得部５１は、リスト端末１の測位位置を取得する。
具体的には、位置取得部５１は、ＧＰＳモジュール１９から取得した位置情報に基づいて、リスト端末１の測位位置を取得する。
センサ情報取得部５２は、センサユニット１２に備えられた各種センサの出力結果を取得する。例えば、センサ情報取得部５２は、地磁気センサによって出力される地磁気の検出結果を取得する。
【００１９】
表示形態モード設定部５３は、入力部１３から入力されるユーザの指示操作に応じて、情報表示処理において対象物を表示する形態を示す表示形態モードを設定する。本実施形態においては、表示形態モードとして、第１表示形態モード及び第２表示形態モードとが用意されている。第１表示形態モードは、電子コンパスの画像に対応付けて、対象物をその方角を提示する形態でＬＤＣ１４に表示するモードである。また、第２表示形態モードは、電子コンパスの画像に対応付けて、対象物をその方角及び距離の度合いを提示する形態でＬＣＤ１４に表示するモードである。表示形態モード設定部５３が第１表示形態モードまたは第２表示形態モードに設定する場合（即ち、情報表示モードとされた場合）には、方位を示す情報（電子コンパス）の表示領域が縮小され、周囲に各種対象物のアイコンを表示可能な円環状の領域が形成される。
【００２０】
表示対象モード設定部５４は、入力部１３から入力されるユーザの指示操作に応じて、情報表示処理において表示する対象物の種類を示す表示対象モードを設定する。本実施形態においては、表示対象モードとして、第１表示対象モード、第２表示対象モード及び第３表示対象モードが用意されている。第１表示対象モードは、電子コンパスの画像に対応付けて、人物が存在する方角を提示するモードである。第２表示対象モードは、電子コンパスの画像に対応付けて、建物が存在する方角を提示するモードである。第３表示対象モードは、電子コンパスの画像に対応付けて、ユーザが登録したポイント（各種イベントが起こった場所等）が存在する方角を提示するモードである。
なお、本実施形態において、第１表示対象モードから第３表示対象モードは、これらのうち１つの表示対象モードのみを選択することや、複数の表示対象モードを選択することのいずれも可能である。複数の表示対象モードが選択された場合、選択された各モードに対応する対象物の種類が表示対象とされる。
【００２１】
方位表示制御部５５は、センサ情報取得部５２によって取得された地磁気センサの検出結果を参照して、ＬＣＤ１４に方位を示す情報（電子コンパス）の画像を表示する。具体的には、方位表示制御部５５は、所定時間間隔（例えば０．５秒毎）に地磁気センサの検出結果を参照し、逐次、方位を示す情報を更新しながらＬＣＤ１４に表示する。
【００２２】
表示対象情報取得部５６は、表示対象とする対象物に関する情報を取得する。具体的には、表示対象情報取得部５６は、無線通信モジュール２１を介して、他のリスト端末１のＩＤ（即ち、携帯しているユーザを示すＩＤ）と、そのリスト端末１の位置情報とを取得する。また、表示対象情報取得部５６は、表示対象記憶部７２を参照して、記憶されている対象物に関する情報を取得する。そして、表示対象情報取得部５６は、対象物の位置情報と、自装置の位置情報とから、自装置から見た対象物の方角と距離とを算出する。なお、第１表示形態モードに設定されている場合には、対象物との距離を算出しないこととしてもよい。本実施形態において、表示対象情報取得部５６は、自装置から予め設定された距離以内の対象物に限って表示対象とする。
なお、本実施形態において、他のリスト端末１の位置情報は、他のリスト端末１において、ＧＰＳによって取得したり、位置が判明している送信元（基地局や店舗）の電波を近距離無線通信（ビーコン）によって受信して電界強度や三角測量の原理を用いて算出したりすることができる。
【００２３】
対象物表示制御部５７は、表示形態モード設定部５３によって設定された表示形態モード及び表示対象モード設定部５４によって設定された表示対象モードに基づいて、表示対象とする対象物の表示を制御する。具体的には、対象物表示制御部５７は、表示形態モードが第１表示形態モードである場合、方位を示す情報（電子コンパス）の周囲に形成された円環状の領域に、各方角に位置する対象物のアイコンを中心から等距離の位置に表示する。また、対象物表示制御部５７は、表示形態モードが第２表示形態モードである場合、方位を示す情報（電子コンパス）の周囲に形成された円環状の領域に、各方角に位置する対象物のアイコンを中心から近い距離の位置（内周側）または遠い距離の位置（外周側）に表示する。各対象物のアイコンを内周側に表示するか外周側に表示するかは、その対象物までの距離が予め設定された閾値よりも近いか否かに応じて決定することができる。
【００２４】
表示対象登録部５８は、情報登録処理において、入力部１３から表示対象とする各種対象物の登録を指示する操作が行われた場合に、各種対象物に関する情報を表示対象記憶部７２に記憶する。具体的には、表示対象登録部５８は、表示対象とする対象物の登録が指示されると、その地点の位置情報、対象物を示すアイコン及び対象物に対するユーザのコメントを対応付けて表示対象記憶部７２に記憶する。例えば、ユーザがフィッシングを行い、良く釣れたポイントの登録を指示する操作を行った場合、その地点の位置情報、対象物を示すアイコン（釣竿のマーク等）及び「○月△日に魚が良く釣れた！」といったコメントが対応付けて表示対象記憶部７２に記憶される。また、表示対象登録部５８は、表示対象に対して地図情報の選択が行われた場合、その地図情報も位置情報と対応付けて記憶する。なお、対象物を示すアイコンは、リスト端末１に予め記憶しておいたり、ユーザが作成したり、ネットワークを介してダウロードしたりすることができる。
【００２５】
このような機能構成により、リスト端末１では、方位を示す情報に加えて、各種対象物の位置情報をユーザにとって容易に把握可能な形態で表示することができる。
図３は、通常モードの表示状態例を示す模式図である。
図３に示すように、通常モードでは、方位を示す情報（電子コンパス１４ａ）の画像が表示され、情報表示処理において表示対象となる各種対象物は表示されていない。
【００２６】
図４は、情報表示モードにおける第１表示形態モードの場合の表示状態例を示す模式図である。なお、図４においては、第２表示対象モード及び第３表示対象モードが選択され、建物及びユーザが登録したポイントが表示対象となった状態を示している。
図４に示すように、第１表示形態モードでは、方位を示す情報（電子コンパス１４ａ）の周囲に形成された円環状の領域に、各方角に位置する対象物のアイコン１４ｂが表示される。このとき、各対象物のアイコン１４ｂは、方位を示す情報の中心から等距離の位置に表示される。
このような表示形態により、ユーザの位置を基準として、表示対象となる各種対象物が存在する方角を容易に把握可能な形態で表示することができる。
【００２７】
また、図５は、情報表示モードにおける第２表示形態モードの場合の表示状態例を示す模式図である。なお、図５においては、第１表示対象モード、第２表示対象モード及び第３表示対象モードが選択され、人物、建物及びユーザが登録したポイントが表示対象となった状態を示している。
図５に示すように、第２表示形態モードでは、方位を示す情報（電子コンパス１４ａ）の周囲に形成された円環状の領域に、各方角に位置する対象物のアイコン１４ｂが表示される。このとき、各対象物のアイコン１４ｂは、リスト端末１からの距離に応じて、方位を示す情報の中心から近い距離の位置（内周側領域１４Ｐ）または遠い距離の位置（外周側領域１４Ｑ）に表示される。
このような表示形態により、ユーザの位置を基準として、表示対象となる各種対象物が存在する方角及びその対象物までの距離の度合いを容易に把握可能な形態で表示することができる。
【００２８】
［動作］
次に、動作を説明する。
［情報表示処理］
図６は、図２の機能的構成を有する図１のリスト端末１が実行する情報表示処理の流れを説明するフローチャートである。
情報表示処理は、ユーザによって入力部１３に情報表示モードへの移行の操作が行われることにより開始される。
【００２９】
ステップＳ１において、表示形態モード設定部５３は、入力部１３から入力されるユーザの指示操作に応じて、情報表示処理において対象物を表示する形態を示す表示形態モードを設定する。
ステップＳ２において、表示対象モード設定部５４は、入力部１３から入力されるユーザの指示操作に応じて、情報表示処理において表示する対象物の種類を示す表示対象モードを設定する。
【００３０】
ステップＳ３において、位置取得部５１は、ＧＰＳモジュール１９から取得した位置情報に基づいて、リスト端末１の測位位置を取得する。
ステップＳ４において、センサ情報取得部５２は、センサユニット１２に備えられた各種センサの出力結果を取得する。このとき、地磁気センサによって出力される地磁気の検出結果が取得される。
【００３１】
ステップＳ５において、対象物表示制御部５７は、表示形態モード設定部５３によって設定された表示形態モード（第１表示形態モードあるいは第２表示形態モード）に切り換える。
ステップＳ６において、表示対象情報取得部５６は、表示対象モード設定部５４によって設定された表示対象モード（第１表示対象モード、第２表示対象モード及び第３表示対象モードのうちの１つまたは複数）に応じて、表示対象とする対象物に関する情報を取得する。
【００３２】
ステップＳ７において、方位表示制御部５５は、センサ情報取得部５２によって取得された地磁気センサの検出結果を参照して、ＬＣＤ１４に方位を示す情報（電子コンパス）の画像を表示する。また、対象物表示制御部５７は、表示形態モード設定部５３によって設定された表示形態モード及び表示対象モード設定部５４によって設定された表示対象モードに基づいて、表示対象とする対象物の表示を制御する。これにより、方位を示す情報（電子コンパス）の周囲に形成された円環状の領域に、第１表示形態モードでは中心から等距離の位置、第２表示形態モードでは中心から近い距離の位置（内周側）または遠い距離の位置（外周側）に、各方角に位置する対象物のアイコンが表示される。
【００３３】
ステップＳ８において、表示対象モード設定部５４は、表示対象モードを変更する操作が行われたか否かの判定を行う。
表示対象モードを変更する操作が行われた場合、ステップＳ８においてＹＥＳと判定されて、処理はステップＳ２に移行する。
一方、表示対象モードを変更する操作が行われていない場合、ステップＳ８においてＮＯと判定されて、処理はステップＳ９に移行する。
【００３４】
ステップＳ９において、表示形態モード設定部５３は、表示形態モードを変更する操作が行われたか否かの判定を行う。
表示形態モードを変更する操作が行われた場合、ステップＳ９においてＹＥＳと判定されて、処理はステップＳ１に移行する。
表示形態モードを変更する操作が行われていない場合、ステップＳ９においてＮＯと判定されて、処理はステップＳ１０に移行する。
【００３５】
ステップＳ１０において、対象物表示制御部５７は、情報表示処理の終了を指示する操作が行われたか否かの判定を行う。
情報表示処理の終了を指示する操作が行われていない場合、ステップＳ１０においてＮＯと判定されて、処理はステップＳ３に移行する。
一方、情報表示処理の終了を指示する操作が行われた場合、ステップＳ１０においてＹＥＳと判定されて、情報表示処理は終了となる。
【００３６】
［情報登録処理］
図７は、図２の機能的構成を有する図１のリスト端末１が実行する情報登録処理の流れを説明するフローチャートである。
情報登録処理は、ユーザによって入力部１３に情報登録処理開始の操作が行われることにより開始される。
ステップＳ２１において、位置取得部５１は、ＧＰＳモジュール１９から取得した位置情報に基づいて、リスト端末１の測位位置を取得する。
ステップＳ２２において、表示対象登録部５８は、登録する表示対象を示すアイコンの選択を受け付ける。
【００３７】
ステップＳ２３において、表示対象登録部５８は、登録する表示対象に関するコメントの入力を受け付ける。
ステップＳ２４において、表示対象登録部５８は、地図情報の参照が指示されたか否かの判定を行う。
地図情報の参照が指示された場合、ステップＳ２４においてＹＥＳと判定されて、処理はステップＳ２５に移行する。
一方、地図情報の参照が指示されていない場合、ステップＳ２４においてＮＯと判定されて、処理はステップＳ２７に移行する。
【００３８】
ステップＳ２５において、表示対象登録部５８は、地図情報記憶部７１を参照し、表示対象の位置周辺の地図情報を表示する。
ステップＳ２６において、表示対象登録部５８は、地図情報（地名や建物名等）の選択を受け付ける。
ステップＳ２７において、表示対象登録部５８は、表示対象の位置、アイコン及びコメントを対応付けて、表示対象記憶部７２に記憶する。このとき、表示対象に対して地図情報の選択が行われている場合、その地図情報も対応付けて記憶される。
ステップＳ２７の後、情報登録処理は終了となる。
【００３９】
このような処理により、リスト端末１においては、方位を示す情報（電子コンパス）に対応付けて、各種対象物がその対象物が位置する方角上に配置して表示される。
そのため、ユーザの位置を基準として、表示対象となる各種対象物が存在する方角を容易に把握可能な形態で表示することができる。
また、第２表示形態モードでは、方位を示す情報（電子コンパス）に対応付けて、各種対象物がその対象物が位置する方角上に、距離に応じた半径方向の位置に配置して表示される。
そのため、ユーザの位置を基準として、表示対象となる各種対象物が存在する方角及びその対象物までの距離の度合いを容易に把握可能な形態で表示することができる。
即ち、リスト端末１によれば、ユーザ自身の向いている方角や目的とする方角と共に、位置情報をより容易に把握することが可能となる。
また、リスト端末１においては、ユーザが希望するポイントを、そのポイントに関するコメント等と対応付けて、表示対象として登録することができる。
そのため、予め表示対象として登録された対象物のみならず、ユーザの日常に起こったイベントに関連する場所等を適宜表示対象とすることができる。
【００４０】
さらに、本実施形態におけるリスト端末１によれば、以下のような具体的な効果を得ることができる。
即ち、リスト端末１の位置情報と、表示対象の位置情報（または概略的な位置）や方位のみが把握できれば、表示対象の位置（方角）を示す上で、大容量の地図情報のデータ等を保持する必要がない。また、データの記憶容量や処理時間等を低減することができる。
また、腕時計等のように、小型で低精細な表示部しか備えてない機器や、実質的に地図を表示できないウェアラブル機器においても、実用的でわかり易い位置（方角）の表示を行うことができる。例えば、表示部が円形の腕時計の表示画面や、アナログ針表示の時計文字盤とも調和したデザインのわかり易いナビゲーション機能や対象物のレーダー機能、友達サーチ機能等を実現することができる。
また、ＢＬＥのビーコン等の近距離無線通信で、近接、遠方、それ以外等、距離や方位の概略等しか把握できない場合であっても、対象物の位置（方角）を表示することができる。
また、表示対象とする対象物の種類や組み合わせ等を変更するだけで、単なる場所や建物の案内のみではなく、種々の機能を提供することができる。
例えば、ユーザのＳＮＳ（ソーシャルネットワーキングサービス）上の仲間の所在、やるべきこと（ＴｏＤｏタスク）や用事の場所（行き先）、予定の順序等のスケジュール、近くにある近距離無線通信の情報発信局や店舗、提供サービス等の選択的な受信、検索、
といったことの表示形態としても応用できる。
さらに、表示対象を選択する場合に、所定距離範囲や距離別等で選択する以外にも、カテゴリー別、種類・ジャンル別、用途別等に対象物（建物・場所・人物・用事等）を、内周・中間・外周といった複数の層別にアイコンを表示することで、同時に比較表示することも可能となる。
【００４１】
［変形例１］
上述の実施形態において、情報表示モードでは、方位を示す情報（電子コンパス）が縮小され、周囲に形成された円環状の領域に各種対象物のアイコンが表示されるものとして説明したが、これに限られない。
例えば、情報表示モードにおいて、方位を示す情報（電子コンパス）を縮小することなく、各種対象物のアイコンを、方位を示す情報に重畳して表示することとしてもよい。このとき、方位を示す情報の透過率を低下させ、各種対象物のアイコンを視認し易くすることも可能である。
これにより、方位を示す情報の視認性を維持しながら、各種対象物の方角あるいは距離をユーザに提示することができる。
また、電子コンパスの画像に対応する距離を徒歩圏内、電子コンパスの画像外に対応する距離を非徒歩圏内として表す等、電子コンパスの画像の範囲を実際の距離における情報と対応付けることとしてもよい。
【００４２】
［変形例２］
上述の実施形態において、第２表示形態モードでは、対象物を距離に応じて内周と外周の２つの円環状の領域に区分して表示したが、これに限られない。
例えば、対象物を表示する円環状の領域を半径に応じて３つ以上に区分し、対象物の距離を３つの度合いに分類することによって、これら円環状の領域にそれぞれ表示することとしてもよい。
これにより、地図情報を表示することなく、ユーザから対象物までの距離をよりわかり易く表示することができる。なお、対象物を、電子コンパスの周囲であって外周側にアイコンが表示されるほど、リスト端末１から遠い位置に対象物が配置されていることを示すように、距離に応じて内周側から外周側に向かって連続的に配置するような構成にしてもよい。
【００４３】
［変形例３］
上述の実施形態において、リスト端末１は、自装置から予め設定された距離以内の対象物に限って表示対象とするものとした。
このとき、対象物の種類に応じて、表示対象とするものの距離の閾値を異なるものとしてもよい。例えば、建物の距離の閾値を最大とし、表示対象として登録されたポイントの距離の閾値、人物の距離の閾値の順で小さくなるように設定することができる。
これにより、対象物の種類に応じて、より適切な距離範囲のものを表示対象とすることができる。例えば、建物であれば、遠方のものまで表示し、人であれば近距離の人物までを表示するといったことが可能となる。
【００４４】
［変形例４］
上述の実施形態において、情報表示モードにおいて対象物のアイコンを表示する際に、リスト端末１から対象物までの距離に応じて、その対象物のアイコンの表示形態を種々変化させることができる。即ち、リスト端末１から対象物までの距離に応じて、電子コンパスの中心からの距離（円環状領域の内周または外周等）を変化させる以外にも、その対象物のアイコン自体の表示形態（大きさ、色味、透過率等）を変化させることとしてもよい。例えば、対象物までの距離が近い程、アイコンを大きく表示したり、より濃い色あるいはより低い透過率で表示したりすること等が可能である。
これにより、対象物までの距離を視覚的によりわかり易い形態で表示することができる。
【００４５】
以上のように構成されるリスト端末１は、ＬＣＤ１４と、センサ情報取得部５２と、方位表示制御部５５及び対象物表示制御部５７とを備える。
ＬＣＤ１４は、情報を表示する。
センサ情報取得部５２は、方位に関する情報を取得する。
方位表示制御部５５及び対象物表示制御部５７は、ＬＣＤ１４に表示する情報を制御する。
方位表示制御部５５及び対象物表示制御部５７は、ＬＣＤ１４に、センサ情報取得部５２によって取得された方位に関する情報に基づいて、電子コンパスの画像を表示し、電子コンパスの画像の周囲に、電子コンパスが示す方位に存在する対象物を示す情報を表示する。
これにより、リスト端末１においては、方位を示す情報（電子コンパス）に対応付けて、所定の対象物が、その対象物が位置する方角上に配置して表示される。
そのため、ユーザの位置を基準として、表示対象となる対象物が存在する方角を容易に把握可能な形態で表示することができる。
したがって、ユーザ自身の向いている方角や目的とする方角と共に、位置情報をより容易に把握することが可能となる。
【００４６】
対象物表示制御部５７は、ＬＣＤ１４に、電子コンパスの画像の周囲において、ユーザが向いている方角に対応する領域に対象物を示す情報を表示する。
これにより、電子コンパスの画像の中心に対する周囲の領域を利用して、ユーザの位置を基準として、表示対象となる対象物が存在する方角を容易に把握可能な形態で表示することができる。
【００４７】
対象物表示制御部５７は、ＬＣＤ１４に、電子コンパスの画像の全周囲において、電子コンパスが示す方位に存在する対象物を示す情報を表示する。
これにより、電子コンパスの画像の中心に対する全周囲の領域を利用して、ユーザの位置を基準として、表示対象となる対象物が存在する方角を容易に把握可能な形態で表示することができる。
【００４８】
リスト端末１は、位置取得部５１を備える。
位置取得部５１は、リスト端末１の位置に関する情報を取得する。
対象物表示制御部５７は、位置取得部５１により取得された位置に関する情報と、センサ情報取得部５２によって取得された方位に関する情報とに基づいて、対象物を示す情報を表示する。
これにより、方位に関する情報に基づいて表示された電子コンパスの画像に、リスト端末１の位置に関する情報を基準として、表示対象となる対象物が存在する方角を表示することができる。
【００４９】
対象物表示制御部５７は、当該電子機器の位置と対象物の位置との距離に基づいて、対象物を示す情報の表示形態を異なるものとする。
これにより、対象物までの距離を視覚的によりわかり易い形態で表示することができる。
【００５０】
対象物表示制御部５７は、表示対象とする対象物の表示形態において、当該電子機器の位置と対象物の位置との距離に関わらず複数の対象物を電子コンパスの画像から等距離に配置する第１表示形態モードと、当該電子機器の位置と対象物の位置との距離に応じて複数の対象物を電子コンパスの画像から異なる距離に配置する第２表示形態モードとのいずれかに設定する。
これにより、ユーザの位置を基準として、表示対象となる対象物が存在する方角及びその対象物までの距離の度合いを容易に把握可能な形態で表示することができる。
【００５１】
対象物表示制御部５７は、表示対象とする対象物の種類において、人物を表示対象とする第１表示対象モードと、建物を表示対象とする第２表示対象モードと、ユーザによって登録されたポイントを表示対象とする第３表示対象モードとの少なくともいずれか１つのモードに設定する。
これにより、ユーザの位置を基準として、表示対象となる各種対象物が存在する方角を、対象物の種類を選択しつつ、容易に把握可能な形態で表示することができる。
【００５２】
対象物表示制御部５７は、電子コンパスの画像の周囲に、電子コンパスが示す方位に存在する対象物を示す情報を表示する情報表示モードと、対象物を示す情報を表示することなく電子コンパスの画像を表示する通常モードと、を切り換える。
これにより、電子コンパスによって方位に関する情報のみを表示する状態と、電子コンパスと対応付けて、表示対象となる対象物の画像を表示する状態とを切り換えることが可能となる。
【００５３】
対象物表示制御部５７は、通常モードから情報表示モードに移行する場合、電子コンパスの画像を縮小して表示する。
これにより、対象物を示す情報を表示する領域を確保しつつ、電子コンパスの画像を表示することができる。
【００５４】
対象物表示制御部５７は、通常モードから情報表示モードに移行する場合、通常モードの場合と同サイズで電子コンパスの画像を表示する。
これにより、電子コンパスの視認性を維持しつつ、対象物を示す情報を表示することができる。
【００５５】
リスト端末１は、表示対象登録部５８を備える。
表示対象登録部５８は、表示対象とする対象物を登録する。
また、表示対象登録部５８は、登録される対象物を示す情報をユーザの入力に応じて設定する。
これにより、ユーザが希望する対象物を表示対象として登録することができる。
そのため、予め表示対象として登録された対象物のみならず、ユーザの日常に起こったイベントに関連する場所等を適宜表示対象とすることができる。
【００５６】
リスト端末１は、表示対象情報取得部５６を備える。
表示対象情報取得部５６は、対象物に関する情報を取得する。
表示対象情報取得部５６は、近距離無線通信を介して当該対象物の位置情報を受信する。
対象物表示制御部５７は、表示対象情報取得部５６によって取得された対象物の位置情報に基づいて、電子コンパスの画像の周囲に、対象物を示す情報を表示する。
これにより、近距離無線通信を介した直接的な通信を行って、他の電子機器の位置情報を逐次取得し、その電子機器が存在する方角を容易に把握可能な形態で表示することができる。
【００５７】
リスト端末１は、表示対象情報取得部５６を備える。
表示対象情報取得部５６は、対象物に関する情報を取得する。
表示対象情報取得部５６は、測位された位置情報に基づいて、当該位置情報周辺の予め記憶された前記対象物の位置情報を取得する。
対象物表示制御部５７は、表示対象情報取得部５６によって取得された対象物の位置情報に基づいて、電子コンパスの画像の周囲に、対象物を示す情報を表示する。
これにより、電子機器の位置情報に対応して、周辺に位置する対象物が存在する方角を容易に把握可能な形態で表示することができる。
【００５８】
なお、本発明は、上述の実施形態に限定されるものではなく、本発明の目的を達成できる範囲での変形、改良等は本発明に含まれるものである。
即ち、本発明は、電子コンパスの画像の中心に対する周囲に、電子コンパスが示す方位に存在する対象物を示す情報を表示するものであれば、各種実施形態として実現することができる。
【００５９】
例えば、上述の実施形態において、近距離無線通信として、ＮＦＣ（Ｎｅａｒ  Ｆｉｅｌｄ  Ｃｏｍｍｕｎｉｃａｔｉｏｎ）を用いたり、ＲＦＩＤ（Ｒａｄｉｏ  Ｆｒｅｑｕｅｎｃｙ  ＩＤｅｎｔｉｆｉｅｒ）を用いたりすることとしてもよい。
【００６０】
また、上述の実施形態では、リスト端末１のＬＣＤ１４が方形である場合を例に挙げて説明したが、ＬＣＤ１４が円形である場合にも本発明を適用可能である。ＬＣＤ１４が円形である場合、本発明の表示形態と表示画面の形状とが調和し易いものとなる。
【００６１】
また、上述の実施形態では、リスト端末１がＧＰＳモジュール１９やセンサユニット１２を有するものとしたが、例えばスマートフォン等の外部機器にリスト端末１が接続されている場合、そのスマートフォン側で各種の測位や方位測定等のセンシングを行って、そのセンシング結果をリスト端末１に送るようにしてもよい。また、地図情報記憶部７１や表示対象記憶部７２をスマートフォンに設置して、リスト端末１がスマートフォン等の外部機器を介して地図情報記憶部７１や表示対象記憶部７２にアクセスするような構成にしてもよい。
【００６２】
また、上述の実施形態では、本発明が適用されるリスト端末１は、腕時計型の電子機器（ウェアラブル端末）を例として説明したが、特にこれに限定されない。
例えば、本発明は、情報表示機能を有する電子機器一般に適用することができる。具体的には、例えば、本発明は、ノート型のパーソナルコンピュータ、プリンタ、テレビジョン受像機、ビデオカメラ、携帯型ナビゲーション装置、携帯電話機、スマートフォン、ポータブルゲーム機等に適用可能である。
【００６３】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能がリスト端末１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００６４】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００６５】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１６に含まれる半導体メモリ等で構成される。
【００６６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００６７】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００６８】
以下に、本願の出願当初の特許請求の範囲に記載された発明を付記する。
［付記１］
情報を表示する表示手段と、
方位に関する情報を取得する方位取得手段と、
前記表示手段に表示する情報を制御する表示制御手段と、
を備え、
前記表示制御手段は、前記表示手段に、前記方位取得手段によって取得された方位に関する情報に基づいて、電子コンパスの画像を表示し、前記電子コンパスの画像の周囲に、前記電子コンパスが示す方位に存在する対象物を示す情報を表示することを特徴とする電子機器。
［付記２］
前記表示制御手段は、前記表示手段に、前記電子コンパスの画像の周囲において、ユーザが向いている方角に対応する領域に前記対象物を示す情報を表示することを特徴とする付記１に記載の電子機器。
［付記３］
前記表示制御手段は、前記表示手段に、前記電子コンパスの画像の全周囲において、前記電子コンパスが示す方位に存在する前記対象物を示す情報を表示することを特徴とする付記２に記載の電子機器。
［付記４］
前記電子機器の位置に関する情報を取得する位置取得手段を有し、
前記表示制御手段は、前記位置取得手段により取得された位置に関する情報と、前記方位取得手段によって取得された方位に関する情報とに基づいて、前記対象物を示す情報を表示することを特徴とする付記１から３のいずれか１つに記載の電子機器。
［付記５］
前記表示制御手段は、当該電子機器の位置と前記対象物の位置との距離に基づいて、前記対象物を示す情報の表示形態を異なるものとすることを特徴とする付記１から４のいずれか１つに記載の電子機器。
［付記６］
前記表示制御手段は、表示対象とする前記対象物の表示形態において、当該電子機器の位置と前記対象物の位置との距離に関わらず複数の前記対象物を前記電子コンパスの画像から等距離に配置する第１表示形態モードと、当該電子機器の位置と前記対象物の位置との距離に応じて複数の前記対象物を前記電子コンパスの画像から異なる距離に配置する第２表示形態モードとのいずれかに設定することを特徴とする付記１から５のいずれか１つに記載の電子機器。
［付記７］
前記表示制御手段は、表示対象とする前記対象物の種類において、人物を表示対象とする第１表示対象モードと、建物を表示対象とする第２表示対象モードと、ユーザによって登録されたポイントを表示対象とする第３表示対象モードとの少なくともいずれか１つのモードに設定することを特徴とする付記１から６のいずれか１つに記載の電子機器。
［付記８］
前記表示制御手段は、前記電子コンパスの画像の周囲に、前記電子コンパスが示す方位に存在する前記対象物を示す情報を表示する情報表示モードと、前記対象物を示す情報を表示することなく前記電子コンパスの画像を表示する通常モードと、を切り換えることを特徴とする付記１から７のいずれか１つに記載の電子機器。
［付記９］
前記表示制御手段は、前記通常モードから前記情報表示モードに移行する場合、前記電子コンパスの画像を縮小して表示することを特徴とする付記８に記載の電子機器。
［付記１０］
前記表示制御手段は、前記通常モードから前記情報表示モードに移行する場合、前記通常モードの場合と同サイズで前記電子コンパスの画像を表示することを特徴とする付記８に記載の電子機器。
［付記１１］
表示対象とする前記対象物を登録する情報登録手段を備え、
前記情報登録手段は、登録される前記対象物を示す情報をユーザの入力に応じて設定することを特徴とする付記１から１０のいずれか１つに記載の電子機器。
［付記１２］
前記対象物に関する情報を取得する表示対象情報取得手段を備え、
前記表示対象情報取得手段は、近距離無線通信を介して当該対象物の位置情報を受信し、
前記表示制御手段は、前記表示対象情報取得手段によって取得された前記対象物の位置情報に基づいて、前記電子コンパスの画像の周囲に、前記対象物を示す情報を表示することを特徴とする付記１から１１のいずれか１つに記載の電子機器。
［付記１３］
前記対象物に関する情報を取得する表示対象情報取得手段を備え、
前記表示対象情報取得手段は、測位された位置情報に基づいて、当該位置情報周辺の予め記憶された前記対象物の位置情報を取得し、
前記表示制御手段は、前記表示対象情報取得手段によって取得された前記対象物の位置情報に基づいて、前記電子コンパスの画像の周囲に、前記対象物を示す情報を表示することを特徴とする付記１から１１のいずれか１つに記載の電子機器。
［付記１４］
情報を表示する表示手段と、
方位に関する情報を取得する方位取得手段と、
前記表示手段に表示する情報を制御する表示制御手段と、
を備える電子機器が実行する情報表示方法であって、
前記表示制御手段が、前記表示手段に、前記方位取得手段によって取得された方位に関する情報に基づいて、電子コンパスの画像を表示し、前記電子コンパスの画像の周囲に、前記電子コンパスが示す方位に存在する対象物を示す情報を表示する対象物表示ステップを含むことを特徴とする情報表示方法。
［付記１５］
情報を表示する表示手段と、
方位に関する情報を取得する方位取得手段と、
前記表示手段に表示する情報を制御する表示制御手段と、
を備える電子機器を制御するコンピュータに、
前記表示手段に、前記方位取得手段によって取得された方位に関する情報に基づいて、電子コンパスの画像を表示し、前記電子コンパスの画像の周囲に、前記電子コンパスが示す方位に存在する対象物を示す情報を表示する対象物表示機能を実現させることを特徴とするプログラム。
【符号の説明】
【００６９】
１・・・リスト端末，１１・・・制御部，１２・・・センサユニット，１３・・・入力部，１４・・・ＬＣＤ，１４ａ・・・電子コンパス，１４ｂ・・・アイコン，１４Ｐ・・・内周側領域，１４Ｑ・・・外周側領域，１５・・・時計回路，１６・・・ＲＯＭ，１７・・・ＲＡＭ，１８・・・ＧＰＳアンテナ，１９・・・ＧＰＳモジュール，２０・・・無線通信用アンテナ，２１・・・無線通信モジュール，２２・・・ドライブ，３１・・・リムーバブルメディア，５１・・・位置取得部，５２・・・センサ情報取得部，５３・・・表示形態モード設定部，５４・・・表示対象モード設定部，５５・・・方位表示制御部，５６・・・表示対象情報取得部，５７・・・対象物表示制御部，５８・・・表示対象登録部，７１・・・地図情報記憶部，７２・・・表示対象記憶部
【図１】
0006696131.tif 000002
【図２】
0006696131.tif 000003
【図３】
0006696131.tif 000004
【図４】
0006696131.tif 000005
【図５】
0006696131.tif 000006
【図６】
0006696131.tif 000007
【図７】
0006696131.tif 000008